(57)【要約】【課題】  衛星テレビジョン放送の中間周波信号等の高周波域までの信号の伝送に使用可能な１分岐の信号送りコンセントに好適に使用される高周波信号用の分岐トランスにおいて、特に高周波域での挿入損失を、一層小さくする。【解決手段】  フェライトコア３２に２つの貫通孔３４，３５を形成することで主幹巻線部と分岐巻線部とを設け、主幹巻線部の貫通孔３４には主幹信号巻線Ａ２が挿通されるとともに主幹接地巻線Ｂ２が巻回され、分岐巻線部の貫通孔３５には分岐信号巻線Ｄ２および分岐接地巻線Ｃ２が巻回されて成る高周波信号用分岐トランス３１において、前記巻線Ａ２が、貫通孔３４を通り抜けるだけで基板に対して最短経路を通るので、それに合わせて巻線Ｂ２を、主幹巻線部の外周面の周方向に対して、中間位置よりも基板側に巻回する。また、支持片３６，３７でコア３２を支持し、係止突起３８で巻線Ｂ２のずれを抑える。【選択図】      図１
2005236043.tif 000002
【特許請求の範囲】
【請求項１】
コアに２つの貫通孔を形成することで主幹巻線部と分岐巻線部とを設け、前記主幹巻線部の貫通孔には主幹信号巻線が挿通されるとともに該貫通孔を通って主幹接地巻線が巻回され、前記分岐巻線部の貫通孔を通って分岐信号巻線および分岐接地巻線が巻回されて成る高周波信号用分岐トランスにおいて、
前記主幹接地巻線は、前記主幹巻線部の外周面の周方向に対して、中間位置よりも基板側に巻回され、
前記コアには、前記主幹巻線部において、外周面および／または端面の少なくとも一部に、前記主幹接地巻線の位置ずれを防止する係止突起または係止溝が形成されていることを特徴とする高周波信号用分岐トランス。
【請求項２】
コアに２つの貫通孔を形成することで主幹巻線部と分岐巻線部とを設け、前記主幹巻線部の貫通孔には主幹信号巻線が挿通されるとともに該貫通孔を通って主幹接地巻線が巻回され、前記分岐巻線部の貫通孔を通って分岐信号巻線および分岐接地巻線が巻回され、前記各巻線が巻回されたコアは基台に搭載支持され、前記各巻線が基台のリード端子に半田付けされ、各リード端子が基板に半田付けされることで基板に実装される高周波信号用分岐トランスにおいて、
前記主幹接地巻線は、前記主幹巻線部の外周面の周方向に対して、中間位置よりも基板側に巻回され、
前記基台は、前記分岐巻線部に前記コアの曲線状の外周面に密着する第１の支持片を備え、前記主幹巻線部に前記コアの曲線状の外周面との間で、前記主幹接地巻線の線径だけ間隔を有する第２の支持片を備えるとともに、前記第２の支持片の先端に、前記コアの外周面に向けて延び、前記主幹接地巻線の位置ずれを防止する係止爪を有することを特徴とする高周波信号用分岐トランス。
【請求項３】
前記係止爪は、前記第２の支持片の先端において、コアの曲線状の外周面に沿って隆起する斜面の側部から延びて形成されることを特徴とする請求項２記載の高周波信号用分岐トランス。
【請求項４】
前記請求項１〜３のいずれか１項に記載の高周波信号用分岐トランスを用いることを特徴とするテレビコンセント。
【発明の詳細な説明】
【技術分野】
【０００１】
本発明は、衛星テレビジョン放送の中間周波信号等の高周波域までの信号の伝送に使用可能な１分岐の信号送りコンセントに好適に使用される高周波信号用の分岐トランスおよびそれを用いるテレビコンセントに関する。
【背景技術】
【０００２】
テレビジョン放送の信号の分岐器等に用いられる分岐トランスとしては、たとえば特許文献１に示すものが知られている。その先行技術によれば、２つの貫通孔を設けた、いわゆる眼鏡型のコアを用い、この先行技術では、そのコアの両端および中央の３つの巻線部を形成している。そして、一端の主幹巻線部には主幹信号巻線および主幹接地巻線が交互に巻回され、他端の分岐巻線部には分岐信号巻線および分岐接地巻線が交互に巻回され、主幹信号巻線はまた延長されて中央巻線部を通って分岐巻線部に１回巻かれ、主幹信号巻線の出力端は分岐接地巻線の反接地端に捩り合わせて結線され、主幹接地巻線の接地端は分岐接地巻線の接地端に捩り合わせて結線され、分岐信号巻線の反分岐端は主幹接地巻線の反接地端に捩り合わせて結線されている。これによって、前記２分岐で、１ＧＨｚ程度まで、結合量の周波数特性を平坦にするとともに、挿入損失および反射損失の周波数特性が改善されている。
【０００３】
しかしながら、この先行技術は、天井裏などに設置される２分岐の分岐トランスである。これに対して、図６で示すテレビコンセント１は、壁面に埋込まれ、一直線状に引回される同軸ケーブル２の途中に介在され、１分岐であり、後続で多くの分岐、分配が行われる可能性があり、挿入損失が小さいことが望まれる。この１分岐のテレビコンセント１は、入力端子Ｔ１と、出力端子Ｔ２と、テレビ端子Ｔ３との３つの端子を備えている。前記入力端子Ｔ１には、アンテナ、コンバータ、ブースター、前段側のテレビコンセント１等が接続され、出力端子Ｔ２には、後段側のテレビコンセント１や終端のテレビコンセント３が接続され、テレビ端子Ｔ３には、テレビジョン受信機４やビデオデッキなどが直接または分配器などを介して接続される。終端のテレビコンセント３は、入力端子Ｔ１と、テレビ端子Ｔ３とを備えて構成される。テレビコンセント１の出力端子Ｔ２に、終端抵抗を接続することで、このテレビコンセント１をテレビコンセント３として使用することもできる。
【０００４】
図７は、前記テレビコンセント１の等価回路図である。このテレビコンセント１は、高周波信号用分岐トランス１１と、コンデンサＣ１１，Ｃ１２と、抵抗Ｒ１１とを備えて構成されている。前記分岐トランス１１において、閉磁路を形成するコア１２には２つの貫通孔が形成されており、主幹巻線部の貫通孔には、一端が前記入力端子Ｔ１に接続され、他端が前記出力端子Ｔ２に接続される主幹信号巻線Ａが挿通されるとともに、一端が接地され、他端が抵抗Ｒ１１を介して接地され、前記主幹信号巻線Ａと磁界結合している主幹接地巻線Ｂが巻回され、分岐巻線部の貫通孔には、一端が接地され、他端がコンデンサＣ１２を介して前記出力端子Ｔ２に接続される分岐接地巻線Ｃが巻回されるとともに、一端がコンデンサＣ１１を介して分岐出力端である前記テレビ端子Ｔ３に接続され、他端が抵抗Ｒ１１を介して接地され、前記分岐接地巻線Ｃと磁界結合している分岐信号巻線Ｄが巻回されることで、前記信号送りにあたって、挿入損失が小さくなるように構成されている。
【０００５】
図８は、前記高周波信号用分岐トランス１１として用いられる典型的な従来技術の高周波信号用分岐トランス２１の巻線構造を示す図である。図８（ａ）は正面図であり、図８（ｂ）は上面図であり、図８（ｃ）は背面図であり、図８（ｄ）は左側面図であり、図８（ｅ）は右側面図である。この図８で示すように、高周波信号用分岐トランス２１は、各巻線Ａ１，Ｂ１，Ｃ１，Ｄ１が巻回されたコア２２が、接着などで基台２３に搭載され、各巻線Ａ１，Ｂ１，Ｃ１，Ｄ１がリード端子Ｐ１１〜Ｐ１６に接続されることでチップ状の部品となり、リフロー半田付け処理等によって、図示しない上述の直流カット用のコンデンサＣ１１，Ｃ１２や負荷抵抗Ｒ１１などとともに、基板に実装される。この高周波信号用分岐トランス２１における各巻線Ａ１，Ｂ１，Ｃ１，Ｄ１は、図７の高周波信号用分岐トランス１１における各巻線Ａ，Ｂ，Ｃ，Ｄにそれぞれ対応している。
【０００６】
そして、リード端子Ｐ１１には、前記主幹接地巻線Ｂ１の他端および分岐信号巻線Ｄ１の他端が接続され、基板側の抵抗Ｒ１１を介して接地される。リード端子Ｐ１２には、前記分岐接地巻線Ｃ１の他端が接続され、基板側のコンデンサＣ１２を介して出力端子Ｔ２に接続される。リード端子Ｐ１３には、前記主幹信号巻線Ａ１の他端が接続されて、該リード端子Ｐ１３は前記出力端子Ｔ２となる。リード端子Ｐ１４には、前記分岐信号巻線Ｄ１の一端が接続され、基板側のコンデンサＣ１１を介してテレビ端子Ｔ３に接続される。リード端子Ｐ１５には、前記主幹接地巻線Ｂ１の一端および分岐接地巻線Ｃ１の一端が接続され、接地される。リード端子Ｐ１６には、前記主幹信号巻線Ａ１の一端が接続されて、該リード端子Ｐ１６は前記入力端子Ｔ１となる。
【０００７】
上述のように構成される高周波信号用分岐トランス２１において、各巻線Ａ１，Ｂ１，Ｃ１，Ｄ１の巻き方は、以下のとおりである。なお、２つの貫通孔２４，２５を有するコア２２の外周面において、相互に重ならないように巻回されている。
【０００８】
前記主幹信号巻線Ａ１は、前記主幹巻線部の貫通孔２４の一端から他端へ挿通されるだけで、リード端子Ｐ１１，Ｐ１３間を最短経路で配線される。したがって、軸直角断面が略８の字または日の字状を有するコア２２の側部（図８（ａ）の正面図では、貫通孔２４の右下方）を１回だけ通り、１分岐器としての挿入損失の低減が図られている。
【０００９】
前記主幹接地巻線Ｂ１は、前記貫通孔２４の一端から挿通され、他端から出た配線は再び一端から挿通され、主幹巻線部の外周面の周方向に対して、中間位置（図８（ａ）の正面図では、前記略８の字または日の字状を有するコア２２の頂部（貫通孔２４の右側方））に２ターン巻回され、貫通孔２４を３回通ることになる。
【００１０】
前記分岐接地巻線Ｃ１は、前記分岐巻線部の貫通孔２５の一端から挿通され、他端から出た配線は再び一端から挿通され、分岐巻線部の外周面の周方向に対して、中間位置（図８（ａ）の正面図では、前記略８の字または日の字状を有するコア２２の底辺部分（貫通孔２５の左下方から左上方））に、隙間なく６ターン巻回され、貫通孔２５を７回通ることになる。
【００１１】
前記分岐信号巻線Ｄ１は、前記分岐巻線部の貫通孔２５の一端から挿通され、他端から出た配線は再び一端から挿通され、前記コア２２の底辺部分（図８（ａ）の正面図では、貫通孔２５において、前記分岐接地巻線Ｃ１よりもさらに左上方）に、隙間なく１ターン巻回され、貫通孔２５を２回通ることになる。
【特許文献１】特開２００２−２４６２３３号公報
【発明の開示】
【発明が解決しようとする課題】
【００１２】
放送衛星（ＢＳ）によって開始された衛星放送も、アンテナやコンバータなどの改良によって、送信電力の小さい通信衛星（ＣＳ）を使用して多チャネルの放送が行われるようになっている。これによって、コンバータで周波数変換して得られる中間周波（ＩＦ）信号も、ＢＳの１〜１．５ＧＨｚ程度から、ＣＳではＢＳよりも高い１．５〜２．１ＧＨｚ程度、１１０°ＣＳでは、それ以上の２．６ＧＨｚ程度になることが予想される。したがって、このような高周波帯での伝送特性を確保するとともに、現状の低い帯域でも、余裕を持つことが望まれる。しかしながら、上述のように構成される高周波信号用分岐トランス２１では、特に高周波帯での、挿入損失が充分とは言えない。
【００１３】
本発明の目的は、特に高周波域での挿入損失を、一層小さくすることができる高周波信号用分岐トランスおよびそれを用いるテレビコンセントを提供することである。
【課題を解決するための手段】
【００１４】
本発明の高周波信号用分岐トランスは、コアに２つの貫通孔を形成することで主幹巻線部と分岐巻線部とを設け、前記主幹巻線部の貫通孔には主幹信号巻線が挿通されるとともに該貫通孔を通って主幹接地巻線が巻回され、前記分岐巻線部の貫通孔を通って分岐信号巻線および分岐接地巻線が巻回されて成る高周波信号用分岐トランスにおいて、前記主幹接地巻線は、前記主幹巻線部の外周面の周方向に対して、中間位置よりも基板側に巻回され、前記コアには、前記主幹巻線部において、外周面および／または端面の少なくとも一部に、前記主幹接地巻線の位置ずれを防止する係止突起または係止溝が形成されていることを特徴とする。
【００１５】
上記の構成によれば、衛星テレビジョン放送の中間周波信号等の高周波域までの信号の伝送に使用可能な１分岐の信号送りコンセントに好適に使用される高周波信号用の分岐トランスにおいて、該高周波信号用分岐トランスには、閉磁路を形成するコアに２つの貫通孔を形成することで主幹巻線部と分岐巻線部とが設けられており、前記主幹巻線部の貫通孔には、一端が入力端子に接続され、他端が出力端子に接続される主幹信号巻線が挿通されるとともに、一端が接地され、他端が抵抗を介して接地される主幹接地巻線が巻回され、前記分岐巻線部の貫通孔には、一端が接地され、他端が出力端子に接続される分岐接地巻線が巻回されるとともに、一端が分岐出力端に接続され、他端が抵抗を介して接地される分岐信号巻線が巻回されることで、前記信号送りにあたって、挿入損失が小さくなるように構成されている。
【００１６】
そこに本発明では、主幹信号巻線が、前記主幹巻線部の貫通孔を通り抜けるだけで、１回転せず、該高周波信号用分岐トランスが搭載される基板に対して最短経路を通るので、それに合わせて主幹接地巻線を、前記２つの貫通孔が形成されて、軸直角断面が略８の字または日の字状を有するコアの前記主幹巻線部において、その外周面の周方向に対して、中間位置よりも基板側に巻回する。これによって、特に高周波域での挿入損失を、一層小さくすることができる。
【００１７】
またそれに合わせて本発明では、前記コアには、前記主幹巻線部において、外周面および／または端面の少なくとも一部に、前記主幹接地巻線の位置ずれを防止する係止突起または係止溝を設ける。これによって、前記主幹接地巻線の位置ずれを防止することができ、該主幹接地巻線の巻付け位置の工夫による所期の効果を持続させることができる。
【００１８】
また、本発明の高周波信号用分岐トランスは、コアに２つの貫通孔を形成することで主幹巻線部と分岐巻線部とを設け、前記主幹巻線部の貫通孔には主幹信号巻線が挿通されるとともに該貫通孔を通って主幹接地巻線が巻回され、前記分岐巻線部の貫通孔を通って分岐信号巻線および分岐接地巻線が巻回され、前記各巻線が巻回されたコアは基台に搭載支持され、前記各巻線が基台のリード端子に半田付けされ、各リード端子が基板に半田付けされることで基板に実装される高周波信号用分岐トランスにおいて、前記主幹接地巻線は、前記主幹巻線部の外周面の周方向に対して、中間位置よりも基板側に巻回され、前記基台は、前記分岐巻線部に前記コアの曲線状の外周面に密着する第１の支持片を備え、前記主幹巻線部に前記コアの曲線状の外周面との間で、前記主幹接地巻線の線径だけ間隔を有する第２の支持片を備えるとともに、前記第２の支持片の先端に、前記コアの外周面に向けて延び、前記主幹接地巻線の位置ずれを防止する係止爪を有することを特徴とする。
【００１９】
上記の構成によれば、衛星テレビジョン放送の中間周波信号等の高周波域までの信号の伝送に使用可能な１分岐の信号送りコンセントに好適に使用される高周波信号用の分岐トランスにおいて、該高周波信号用分岐トランスには、閉磁路を形成するコアに２つの貫通孔を形成することで主幹巻線部と分岐巻線部とが設けられており、前記主幹巻線部の貫通孔には、一端が入力端子に接続され、他端が出力端子に接続される主幹信号巻線が挿通されるとともに、一端が接地され、他端が抵抗を介して接地される主幹接地巻線が巻回され、前記分岐巻線部の貫通孔には、一端が接地され、他端が出力端子に接続される分岐接地巻線が巻回されるとともに、一端が分岐出力端に接続され、他端が抵抗を介して接地される分岐信号巻線が巻回されることで、前記信号送りにあたって、挿入損失が小さくなるように構成されている。
【００２０】
そこに本発明では、主幹信号巻線が、前記主幹巻線部の貫通孔を通り抜けるだけで、１回転せず、該高周波信号用分岐トランスが搭載される基板に対して最短経路を通るので、それに合わせて主幹接地巻線を、前記２つの貫通孔が形成されて、軸直角断面が略８の字または日の字状を有するコアの前記主幹巻線部において、その外周面の周方向に対して、中間位置よりも基板側に巻回する。これによって、特に高周波域での挿入損失を、一層小さくすることができる。
【００２１】
また本発明では、各巻線が巻回されたコアは、接着などで基台に搭載され、各巻線がリード端子に接続されることでチップ状の部品となり、リフロー半田付け処理等によって、直流カット用のコンデンサや負荷抵抗などとともに基板に実装されるようになるが、前記接着にあたっての位置決めや支持強度を高めるために、コアの曲線状の外周面を支持する支持片を設けるにあたって、分岐巻線部には曲線状の外周面に密着する第１の支持片を設け、主幹巻線部には前記曲線状の外周面に前記主幹接地巻線の線径だけ間隔を開けて沿う第２の支持片を設ける。これによって、上述のように主幹接地巻線を主幹巻線部に巻回するにあたって、その外周面の周方向に対して、中間位置よりも基板側に巻回しても、該主幹巻線部には前記第２の支持片が前記主幹接地巻線の線径だけ間隔を開けているので、コアを基台に密着させ、基板に最も近付けることができ、さらに特性を向上することができる。また、前記コアの外周面と該第２の支持片とによって前記主幹接地巻線を挟持するので、該主幹接地巻線の位置ずれを防止することができる。
【００２２】
さらに本発明では、前記第２の支持片の先端に、前記コアの外周面に向けて延びる係止爪を設ける。これによって、前記主幹接地巻線の位置ずれを確実に防止することができ、該主幹接地巻線の巻付け位置の工夫による所期の効果を持続させることができる。
【００２３】
さらにまた、本発明の高周波信号用分岐トランスでは、前記係止爪は、前記第２の支持片の先端において、コアの曲線状の外周面に沿って隆起する斜面の側部から延びて形成されることを特徴とする。
【００２４】
上記の構成によれば、第２の支持片の先端に、前記主幹接地巻線の位置ずれを防止する係止爪を設けるにあたって、コアの曲線状の外周面に沿って隆起する斜面の延長線上ではなく、前記斜面の側部から延びて形成する。
【００２５】
したがって、前記斜面の延長線上に形成する場合は、係止爪が斜面の内側に入り込むことになり、第２の支持片を成型するにあたって、該第２の支持片を面方向にしか型抜きできないのに対して、斜面の側部から延びて形成することで、該第２の支持片を厚み方向に型抜きすることができ、成型が容易である。また、前記斜面の延長線上の全域に亘って前記係止爪を形成する場合は、該係止爪部分に弾力性を確保するために第２の支持片の材料を選定する必要があるけれども、斜面の側部から延びて形成することで、前記弾力性のない材料でも第２の支持片に使用することができる。
【００２６】
また、本発明のテレビコンセントは、前記の高周波信号用分岐トランスを用いることを特徴とする。
【００２７】
上記の構成によれば、壁面に埋込まれるテレビコンセントは、１分岐であり、特に信号送り用では、挿入損失が小さいことが要求されるので、本発明が特に好適である。
【発明の効果】
【００２８】
本発明の高周波信号用分岐トランスは、以上のように、コアに２つの貫通孔を形成することで主幹巻線部と分岐巻線部とを設け、前記主幹巻線部の貫通孔には主幹信号巻線が挿通されるとともに該貫通孔を通って主幹接地巻線が巻回され、前記分岐巻線部の貫通孔を通って分岐信号巻線および分岐接地巻線が巻回されて成り、衛星テレビジョン放送の中間周波信号等の高周波域までの信号の伝送に使用可能な１分岐の信号送りコンセントに好適に使用される高周波信号用分岐トランスにおいて、前記主幹接地巻線を、前記主幹巻線部の外周面の周方向に対して、中間位置よりも基板側に巻回し、前記コアには、前記主幹巻線部において、外周面および／または端面の少なくとも一部に、前記主幹接地巻線の位置ずれを防止する係止突起または係止溝を設ける。
【００２９】
それゆえ、特に高周波域での挿入損失を、一層小さくすることができる。
【００３０】
また、前記係止突起によって、前記主幹接地巻線の位置ずれを防止することができ、該主幹接地巻線の巻付け位置の工夫による所期の効果を持続させることができる。
【００３１】
また、本発明の高周波信号用分岐トランスは、以上のように、コアに２つの貫通孔を形成することで主幹巻線部と分岐巻線部とを設け、前記主幹巻線部の貫通孔には主幹信号巻線が挿通されるとともに該貫通孔を通って主幹接地巻線が巻回され、前記分岐巻線部の貫通孔を通って分岐信号巻線および分岐接地巻線が巻回され、前記各巻線が巻回されたコアは基台に搭載支持され、前記各巻線が基台のリード端子に半田付けされ、各リード端子が基板に半田付けされることで基板に実装され、衛星テレビジョン放送の中間周波信号等の高周波域までの信号の伝送に使用可能な１分岐の信号送りコンセントに好適に使用される高周波信号用分岐トランスにおいて、前記主幹接地巻線を、前記主幹巻線部の外周面の周方向に対して、中間位置よりも基板側に巻回し、前記基台に、前記分岐巻線部に前記コアの曲線状の外周面に密着する第１の支持片を設け、前記主幹巻線部に前記コアの曲線状の外周面との間で、前記主幹接地巻線の線径だけ間隔を有する第２の支持片を設けるとともに、前記第２の支持片の先端に、前記コアの外周面に向けて延び、前記主幹接地巻線の位置ずれを防止する係止を爪設ける。
【００３２】
それゆえ、特に高周波域での挿入損失を、一層小さくすることができる。
【００３３】
また、各巻線が巻回されたコアを接着などで基台に搭載するにあたって、位置決めや支持強度を高めるために、コアの曲線状の外周面を支持する支持片を設けるにあたって、分岐巻線部には曲線状の外周面に密着する第１の支持片を設け、主幹巻線部には前記曲線状の外周面に前記主幹接地巻線の線径だけ間隔を開けて沿う第２の支持片を設ける。これによって、上述のように主幹接地巻線を主幹巻線部に巻回するにあたって、その外周面の周方向に対して、中間位置よりも基板側に巻回しても、該主幹巻線部には前記第２の支持片が前記主幹接地巻線の線径だけ間隔を開けているので、コアを基台に密着させ、基板に最も近付けることができ、さらに特性を向上することができる。また、前記コアの外周面と該第２の支持片とによって前記主幹接地巻線を挟持するので、該主幹接地巻線の位置ずれを防止することができる。
【００３４】
さらにまた、前記第２の支持片の先端に、前記コアの外周面に向けて延びる係止爪を設けるので、前記主幹接地巻線の位置ずれを確実に防止することができ、該主幹接地巻線の巻付け位置の工夫による所期の効果を持続させることができる。
【００３５】
また、本発明のテレビコンセントは、以上のように、前記の高周波信号用分岐トランスを用いる。
【００３６】
それゆえ、壁面に埋込まれるテレビコンセントは、１分岐であり、特に信号送り用では、挿入損失が小さいことが要求されるので、本発明が特に好適である。
【発明を実施するための最良の形態】
【００３７】
［実施の形態１］
図１は、本発明の実施の一形態に係る高周波信号用分岐トランス３１の構造を示す図である。図１（ａ）は正面図であり、図１（ｂ）は上面図であり、図１（ｃ）は背面図であり、図１（ｄ）は左側面図であり、図１（ｅ）は右側面図である。この高周波信号用分岐トランス３１も、前述の高周波信号用分岐トランス１１として使用することができる。したがって、この高周波信号用分岐トランス３１における各巻線Ａ２，Ｂ２，Ｃ２，Ｄ２は、図７の高周波信号用分岐トランス１１における各巻線Ａ，Ｂ，Ｃ，Ｄにそれぞれ対応している。
【００３８】
この高周波信号用分岐トランス３１は、各巻線Ａ２，Ｂ２，Ｃ２，Ｄ２が巻回されたフェライトコア３２が、接着などで基台３３に搭載され、各巻線Ａ２，Ｂ２，Ｃ２，Ｄ２がリード端子Ｐ２１〜Ｐ２６に接続されることでチップ状の部品となり、リフロー半田付け処理等によって、図示しない前述の直流カット用のコンデンサＣ１１，Ｃ１２や負荷抵抗Ｒ１１などとともに、基板に実装される。
【００３９】
そして、リード端子Ｐ２１には、前記主幹接地巻線Ｂ２の他端および分岐信号巻線Ｄ２の他端が接続され、基板側の抵抗Ｒ１１を介して接地される。リード端子Ｐ２２には、前記分岐接地巻線Ｃ２の他端が接続され、基板側のコンデンサＣ１２を介して出力端子Ｔ２に接続される。リード端子Ｐ２３には、前記主幹信号巻線Ａ２の他端が接続されて、該リード端子Ｐ２３は前記出力端子Ｔ２となる。リード端子Ｐ２４には、前記分岐信号巻線Ｄ２の一端が接続され、基板側のコンデンサＣ１１を介してテレビ端子Ｔ３に接続される。リード端子Ｐ２５には、前記主幹接地巻線Ｂ２の一端および分岐接地巻線Ｃ２の一端が接続され、接地される。リード端子Ｐ２６には、前記主幹信号巻線Ａ２の一端が接続されて、該リード端子Ｐ２６は前記入力端子Ｔ１となる。以上の構成は、前述の図８で示す高周波信号用分岐トランス２１と同様である。
【００４０】
注目すべきは、この高周波信号用分岐トランス３１では、先ず主幹接地巻線Ｂ２の巻き方が従来の高周波信号用分岐トランス２１とは異なることである。以下に、各巻線Ａ２，Ｂ２，Ｃ２，Ｄ２の巻き方を説明する。なお、２つの貫通孔３４，３５を有するフェライトコア３２の外周面において、相互に重ならないように巻回されている。
【００４１】
前記主幹信号巻線Ａ２は、前記主幹巻線部の貫通孔３４の一端から他端へ挿通されるだけで、リード端子Ｐ２１，Ｐ２３間を最短経路で配線される。したがって、軸直角断面が略８の字または日の字状を有するフェライトコア３２の側部（図１（ａ）の正面図では、貫通孔３４の右下方）を１回だけ通り、１分岐器としての挿入損失の低減が図られている。
【００４２】
前記主幹接地巻線Ｂ２は、前記貫通孔３４の一端から挿通され、他端から出た配線は再び一端から挿通され、主幹巻線部の外周面の周方向に対して、中間位置（図１（ａ）の正面図では、前記略８の字または日の字状を有するフェライトコア３２の頂部（貫通孔３４の右側方））よりも基板、したがって基台３３側（図１（ａ）では、貫通孔３４において、右下方）に２ターン巻回され、貫通孔３４を３回通ることになる。
【００４３】
前記分岐接地巻線Ｃ２は、前記分岐巻線部の貫通孔３５の一端から挿通され、他端から出た配線は再び一端から挿通され、分岐巻線部の外周面の周方向に対して、中間位置（図１（ａ）の正面図では、前記略８の字または日の字状を有するフェライトコア３２の底辺部分（貫通孔３５の左下方から左上方））に、略隙間なく６ターン巻回され、貫通孔３５を７回通ることになる。
【００４４】
前記分岐信号巻線Ｄ２は、前記分岐巻線部の貫通孔３５の一端から挿通され、他端から出た配線は再び一端から挿通され、前記フェライトコア３２の底辺部分（図１（ａ）の正面図では、貫通孔３５において、前記分岐接地巻線Ｃ２よりもさらに左上方）に、隙間なく１ターン巻回され、貫通孔３５を２回通ることになる。
【００４５】
たとえば、前記フェライトコア３２の幅Ｗ１は５．０ｍｍであり、高さΦ１は３．０ｍｍであり、貫通孔３４，３５の内径Φ２は１．０ｍｍであり、フェライトコア３２の奥行きＬ１は１．５ｍｍであり、基台３３の幅Ｗ２は６．２ｍｍであり、奥行きＬ２は４．０ｍｍであり、リード端子Ｐ２１〜Ｐ２３とＰ２４〜Ｐ２６との先端の幅Ｌ３は６．２ｍｍであり、端子ピッチＨ１は２．０ｍｍであり、端子幅Ｈ２は０．６ｍｍである。また、各巻線Ａ２，Ｂ２，Ｃ２，Ｄ２は、ポリウレタン導線から成り、その直径は、たとえば巻線Ａ２が０．２５ｍｍ、残余の巻線Ｂ２，Ｃ２，Ｄ２が０．１６ｍｍである。
【００４６】
このように主幹信号巻線Ａ２が、主幹巻線部の貫通孔３４を通り抜けるだけで、１回転せず、該高周波信号用分岐トランス３１が搭載される基板に対して最短経路を通るように引回すことで、信号送りにあたって、挿入損失が小さくなるように構成されている１分岐の該高周波信号用分岐トランス３１において、主幹接地巻線Ｂ２を、前記主幹信号巻線Ａ２に合わせて、前記主幹巻線部の外周面の周方向に対して、中間位置よりも基板側に巻回することで、特に高周波域での挿入損失を、一層小さくすることができる。
【００４７】
図２に、本件発明者による測定結果を示す。参照符αは、本発明の高周波信号用分岐トランス３１による挿入損失を示すグラフであり、参照符βは、図８に示す従来の高周波信号用分岐トランス２１による挿入損失を示すグラフである。前記２．６ＧＨｚでは、０．３ｄＢ程度改善しているのが理解される。
【００４８】
また、注目すべきは、この高周波信号用分岐トランス３１では、前記各巻線Ａ２，Ｂ２，Ｃ２，Ｄ２が巻回されたフェライトコア３２を搭載支持し、前記各巻線Ａ２，Ｂ２，Ｃ２，Ｄ２が接続されて前記基板に半田付けされるリード端子Ｐ２１〜Ｐ２６の形成された基台３３を有し、その基台３３には、前記フェライトコア３２の曲線状の外周面に密着する第１の支持片３６を前記分岐巻線部に備えているとともに、前記フェライトコア３２の曲線状の外周面との間で、前記主幹接地巻線Ｂ２の線径だけ間隔を有する第２の支持片３７を前記主幹巻線部に備えていることである。
【００４９】
したがって、上述のように各巻線Ａ２，Ｂ２，Ｃ２，Ｄ２が巻回されたフェライトコア３２を基台３３に接着するにあたって、位置決めや支持強度を高めることができるとともに、主幹接地巻線Ｂ２を主幹巻線部に巻回するにあたって、その外周面の周方向に対して、中間位置よりも基板側に巻回しても、該主幹巻線部には前記支持片３７が前記主幹接地巻線Ｂ２の線径だけ間隔を開けているので、フェライトコア３２を基台４３に密着させ、基板に最も近付けることができ、特性を向上することができる。また、前記フェライトコア３２の外周面と該支持片３７とによって前記主幹接地巻線Ｂ２を挟持するので、該主幹接地巻線Ｂ２の位置ずれを防止することができる。
【００５０】
さらにまた、注目すべきは、この高周波信号用分岐トランス３１では、前記主幹巻線部において、フェライトコア３２の外周面の少なくとも一部に（図１では、外周面の全長に亘って水平線で示されている）、前記主幹接地巻線Ｂ２の位置ずれを防止する係止突起３８を設けていることである。これによって、前記主幹接地巻線の位置ずれを防止することができ、該主幹接地巻線Ｂ２の巻付け位置の工夫による所期の効果を持続させることができる。また、前記主幹接地巻線Ｂ２をフェライトコア３２の外周面の周方向に対して中間位置よりも基板側に巻付けるにあたって、作業者は係止突起３８に係らないように巻付けるだけで、容易に規定の周方向中間位置よりも基板側に巻付けることができる。
【００５１】
［実施の形態２］
図３は、本発明の実施の他の形態に係る高周波信号用分岐トランス４１の構造を示す図である。図３（ａ）は正面図であり、図３（ｂ）は上面図であり、図３（ｃ）は背面図であり、図３（ｄ）は左側面図であり、図３（ｅ）は右側面図である。この高周波信号用分岐トランス４１も、前述の高周波信号用分岐トランス１１として使用することができ、またこの高周波信号用分岐トランス４１は、前述の高周波信号用分岐トランス３１に類似し、対応する部分には同一の参照符号を付して示し、その説明を省略する。
【００５２】
この高周波信号用分岐トランス４１における各巻線Ａ２，Ｂ２，Ｃ２，Ｄ２の巻き方は、前述の高周波信号用分岐トランス３１と同様である。注目すべきは、この高周波信号用分岐トランス４１では、フェライトコア４２において、係止突起４８は、前記外周面ではなく、端面に設けられていることである。このようにしてもまた、同様の作用効果を得ることができる。このように係止突起３８，４８は、フェライトコア３２，４２の外周面および／または端面の少なくとも一部に設けられていればよい。また、突起でなくても、前記主幹接地巻線Ｂ２の少なくとも一部分が嵌り込む凹溝などであってもよい。さらにまた、突起でなくても、フェライトコア３２，４２の貫通孔３４から外周面および端面に亘って締着されたバンドなどであってもよい。
【００５３】
［実施の形態３］
図４は、本発明の実施のさらに他の形態に係る高周波信号用分岐トランス５１の構造を示す図である。前記図１や図３と同様に、図４（ａ）は正面図であり、図４（ｂ）は上面図であり、図４（ｃ）は背面図であり、図４（ｄ）は左側面図であり、図４（ｅ）は右側面図である。この高周波信号用分岐トランス５１も、前述の高周波信号用分岐トランス１１として使用することができ、前述の高周波信号用分岐トランス３１，４１に類似し、対応する部分には同一の参照符号を付して示し、その説明を省略する。
【００５４】
この高周波信号用分岐トランス５１における各巻線Ａ２，Ｂ２，Ｃ２，Ｄ２の巻き方も、前述の高周波信号用分岐トランス３１，４１と同様である。注目すべきは、この高周波信号用分岐トランス５１では、フェライトコア５２には、前記係止突起３８，４８が設けられておらず、該フェライトコア５２の曲線状の外周面との間で、前記主幹接地巻線Ｂ２の線径だけ間隔を有する第２の支持片５６の先端に、前記フェライトコア５２の外周面に向けて延びる係止爪５８が設けられていることである。
【００５５】
このようにしてもまた、前記主幹接地巻線Ｂの位置ずれを確実に防止することができ、該主幹接地巻線Ｂの巻付け位置の工夫による所期の効果を持続させることができる。また、磁性体の焼結などで作製されるフェライトコアに前記係止突起３８，４８を設けるよりも、樹脂成型品などから成るこの第２の支持片５６に係止爪５８を設ける方が、作製が容易である。
【００５６】
［実施の形態４］
図５は、本発明の実施の他の形態に係る高周波信号用分岐トランス６１の構造を示す図である。この高周波信号用分岐トランス６１は、上述の図４で示す高周波信号用分岐トランス５１に類似し、対応する部分には同一の参照符号を付して示し、その説明を省略する。注目すべきは、この高周波信号用分岐トランス６１では、係止爪６８が、第２の支持片６７の先端において、フェライトコア５２の曲線状の外周面に沿って隆起する斜面６９の側部から延びて形成されていることである。なお、図５では、前記係止爪６８は、フェライトコア５２の前面側の端面に向けて形成されているけれども、背面側の端面に向けて形成されてもよく、また両方に設けられてもよい。
【００５７】
したがって、前記係止爪５８のように斜面６９の延長線上に形成する場合は、係止爪５８が斜面６９の内側に入り込むことになり、第２の支持片５７を成型するにあたって、該第２の支持片５７を面方向にしか型抜きできないのに対して、斜面６９の側部から延びて形成することで、該第２の支持片６７を厚み方向に型抜きすることができ、成型が容易である。また、前記斜面６９の延長線上の全域に亘って前記係止爪５８を形成する場合は、該係止爪部分に弾力性を確保するために第２の支持片５７の材料を選定する必要があるけれども、斜面６９の側部から延びて形成することで、前記弾力性のない材料でも第２の支持片６７に使用することができる。
【００５８】
壁面に埋込まれるテレビコンセント１は、１分岐であり、特に信号送り用では、挿入損失が小さいことが要求されるので、本発明の高周波信号用分岐トランス３１，４１，５１，６１を、特に好適に使用することができる。
【００５９】
なお、特開２００２−２７１１６１号公報の図１には、軸直角断面が略８の字または日の字状を有するコアの２つの貫通孔にそれぞれ巻線を巻回するにあたって、２つの巻線共に、前記略８の字または日の字の基板側の側面に巻回されているが、これは基板からの接続のためにそのように構成したものであって、本発明のように主幹信号巻線Ａ２と主幹接地巻線Ｂ２との結合を調整し、挿入損失の改善を図ったのではない。また、この従来技術は、分配器であり、したがって図６におけるテレビコンセント３に対応するものであり、本発明の対象とする１分岐器に関するものではなく、同公報の図４で示される等価回路も、本発明の図７の等価回路とは異なるものである。
【図面の簡単な説明】
【００６０】
【図１】本発明の実施の一形態に係る高周波信号用分岐トランスの構造を示す図である。
【図２】本件発明者による挿入損失の測定結果を示すグラフである。
【図３】本発明の実施の他の形態に係る高周波信号用分岐トランスの構造を示す図である。
【図４】本発明の実施のさらに他の形態に係る高周波信号用分岐トランスの構造を示す図である。
【図５】本発明の実施の他の形態に係る高周波信号用分岐トランスの構造を示す図である。
【図６】一般的なテレビジョン信号のアンテナケーブルの引き回しを説明するための図である。
【図７】１分岐のテレビコンセントの等価回路図である。
【図８】典型的な従来技術の高周波信号用分岐トランスの構造を示す図である。
【符号の説明】
【００６１】
１    テレビコンセント
２    同軸ケーブル
３    テレビコンセント
４    テレビジョン受信機
１１，３１，４１，５１，６１    高周波信号用分岐トランス
１２    コア
３２，４２，５２    フェライトコア
３３，４３    基台
３４，３５    貫通孔
３６    第１の支持片
３７，５７，６７    第２の支持片
３８，４８    係止突起
５８，６８    係止爪
Ａ，Ａ２    主幹信号巻線
Ｂ，Ｂ２    主幹接地巻線
Ｃ，Ｃ２    分岐接地巻線
Ｃ１１，Ｃ１２    コンデンサ
Ｄ，Ｄ２    分岐信号巻線
Ｐ２１〜Ｐ２６    リード端子
Ｒ１１  抵抗
Ｔ１    入力端子
Ｔ２    出力端子
Ｔ３    テレビ端子
【図１】
2005236043.tif 000003
【図２】
2005236043.tif 000004
【図３】
2005236043.tif 000005
【図４】
2005236043.tif 000006
【図５】
2005236043.tif 000007
【図６】
2005236043.tif 000008
【図７】
2005236043.tif 000009
【図８】
2005236043.tif 000010